(57)【要約】【課題】  ネットワークシステム及びネットワーク監視方法に関し、監視装置側でシステム構築時や伝送装置の増設時に、伝送装置の装置アドレス等の情報を監視装置で容易に収集し、迅速にシステム監視構成を構築する。【解決手段】  伝送装置Ａ，Ｂ，Ｃは、未運用中の伝送路の伝送帯域の中の要因認識帯域に装置アドレスを含む特定データを送出する手段と、未運用中の伝送路に対して要因認識帯域による特定データを折り返し送出するか否かを制御する折り返し手段と、受信した特定データの抽出判定手段と、監視装置ＳＶからの指示又は自律的に、折り返し手段による特定データの折り返し送出及び停止を制御し、自伝送装置が送出した特定データを折り返し受信したと判定した時に、伝送路を介して対向伝送装置と接続されたと判定して、監視装置ＳＶに特定データによる要因対応の情報の送出手段とを含む制御部１を備えている。【選択図】      図１
2005223777.tif 000002
【特許請求の範囲】
【請求項１】
複数の伝送装置を伝送路により接続し、監視装置により監視するネットワークシステムに於いて、
前記伝送装置は、未運用中の伝送路の伝送帯域の中の要因認識帯域に装置アドレスを含む特定データを送出する手段と、未運用中の伝送路に対して前記要因認識帯域による特定データを折り返し送出するか否かを制御する折り返し手段と、受信した特定データの抽出判定手段と、前記監視装置からの指示又は自律的に前記折り返し手段による前記特定データの折り返し送出及び停止を制御し、前記特定データの抽出判定手段により自伝送装置が送出した特定データを折り返し受信したと判定した時に、前記伝送路を介して対向伝送装置と接続されたと判定して、前記監視装置に前記特定データによる要因に対応した情報の送出手段とを備えた
ことを特徴とするネットワークシステム。
【請求項２】
前記伝送装置の前記特定データの折り返し手段は、未運用中の伝送路を介して受信した多重化データを多重化部により多重分離した前記要因認識帯域の前記特定データを折り返して多重化して前記伝送路に送出する構成と、前記要因認識帯域の前記特定データの中の指定したビットの論理反転を行う論理反転部とを有することを特徴とする請求項１記載のネットワークシステム。
【請求項３】
前記伝送装置は、前記抽出判定手段により前記伝送路を介して対向伝送装置と接続されたと判定して、前記情報の送出手段により前記監視装置に情報を送出した後、他の伝送装置を接続する為の未運用中の伝送路に対して前記要因認識帯域による特定データの折り返し経路を前記折り返し手段により形成する制御手段を有することを特徴とする請求項１又は２記載のネットワークシステム。
【請求項４】
複数の伝送装置を伝送路により接続し、監視装置により監視するネットワーク監視方法に於いて、
前記伝送装置に接続した未運用中の伝送路の伝送帯域の中の要因認識帯域により装置アドレスを含む特定データを送出する過程と、該特定データが対向伝送装置により折り返されて受信したと前記装置アドレスも基に判定し、前記対向伝送装置との間が伝送路により接続されたと認識して、前記監視装置に前記特定データによる要因に対応した情報を送出する過程と、該情報を受信した前記監視装置に於いて、前記伝送装置の伝送路を介した接続構成を認識してネットワークの監視を開始する過程とを含む
ことを特徴とするネットワーク監視方法。
【請求項５】
前記監視装置は、伝送路を介して増設伝送装置を接続した伝送装置に対して、未運用中の前記増設伝送装置側の伝送路の前記要因認識帯域の折り返しを指示し、前記増設伝送装置は、自伝送装置の装置アドレスが付加された前記要因認識帯域の特定データの折り返しを受信し、前記装置アドレスにより折り返し受信と判定した時に、該特定データによる要因に対応した情報を前記監視装置に送出し、該情報を受信した監視装置は、前記折り返し解除を指示する過程を含むことを特徴とする請求項４記載のネットワーク監視方法。
【請求項６】
前記監視装置から指示できる伝送装置に伝送路を介して複数の増設伝送装置を接続し、前記伝送装置及び前記複数の増設伝送装置は、未運用中の伝送路の要因認識帯域により前記特定データを送出し、前記監視装置が前記伝送装置に、未運用中の伝送路の前記要因認識帯域の折り返しを指示し、該要因認識帯域の折り返しにより自伝送装置から送出した前記特定データに付加した装置アドレスと自伝送装置の装置アドレスとの一致により折り返し受信を識別した時に、該特定データによる要因対応の情報を前記監視装置に送出して、該特定データを折り返し受信した伝送路を運用中に遷移させ、且つ他の未運用中の伝送路の前記要因認識帯域の折り返しを行う過程を含むことを特徴とする請求項４記載のネットワーク監視方法。
【請求項７】
前記監視装置から指示できる伝送装置に伝送路を介して複数の増設伝送装置を接続し、前記伝送装置及び前記複数の増設伝送装置は、未運用中の伝送路の要因認識帯域により装置アドレスを付加した前記特定データを送出し、前記監視装置が前記伝送装置に、未運用中の伝送路の前記要因認識帯域の折り返しを指示し、該要因認識帯域の折り返しにより前記伝送装置の後段の前記増設伝送装置は、自伝送装置から送出した前記特定データを受信して、該特定データに付加した装置アドレスと自伝送装置の装置アドレスとの一致により折り返し受信を識別した時に、該特定データによる要因対応の情報を前記監視装置に送出して、他の未運用中の伝送路に対して前記要因認識帯域の折り返し経路を形成する処理を前記増設伝送装置に於いて実行し、前記監視装置に於いて前記増設伝送装置からの前記特定データによる要因対応の情報を総て受信した後、前記伝送装置に折り返し解除を通知し、前記増設伝送装置は前段の伝送装置からの前記特定データを受信して付加された装置アドレスと自伝送装置の装置アドレスとの不一致により、前記要因認識帯域の折り返しを解除する処理を前記増設伝送装置に於いて実行する過程を含むことを特徴とする請求項４記載のネットワーク監視方法。
【請求項８】
前記特定データによる要因は、装置アドレス通知、装置状態通知、装置構成通知、自己診断実施及び結果通知を含み、選択的に１個又は複数同時に前記要因認識帯域により未運用中の伝送路に送出する過程を含むことを特徴とする請求項４乃至７項の何れか１項記載のネットワーク監視方法。
【請求項９】
前記監視装置は、前記増設伝送装置からの情報と定義内容とを比較し、比較不一致の場合に、前記増設伝送装置の内部の設定誤りとして警報を送出する過程を含むことを特徴とする請求項４乃至７項の何れか１項記載のネットワーク監視方法。
【発明の詳細な説明】
【技術分野】
【０００１】
本発明は、伝送装置の接続構成を基に監視する監視装置を含むネットワークシステム及びネットワーク監視方法に関する。
【背景技術】
【０００２】
伝送路を介して接続した伝送装置間でデータ伝送を行い、監視装置により各伝送装置の動作状態等を監視するネットワークシステムに於いては、各伝送装置の状態情報を収集して監視し、異常発生時は、その原因の解析や障害個所の切り分け等を行うものである。その為に、監視装置は、各伝送装置のアドレス情報等を基に、伝送路を介した接続構成を認識している必要がある。従って、ネットワークシステム内の伝送装置の増設や、削減に対応して、接続構成の変更を監視装置に於いて認識する必要がある。
【０００３】
例えば、図２２に示すように、装置アドレス（００１），（００２）の伝送装置Ａ，Ｂが伝送路により接続され、監視装置ＳＶにより監視するネットワークシステムに於いて、伝送装置Ｃを増設する場合、この伝送装置Ｃの装置アドレス（例えば、００３）や装置間通信用パス設定等を行って立ち上げる。監視装置ＳＶは、この増設伝送装置Ｃの装置タイプ、装置アドレス（００３）、実装構成等の情報を定義し、装置アドレス（００３）の増設伝送装置Ｃに対して情報要求を行い、増設伝送装置Ｃからの応答受信により、この増設伝送装置Ｃに対する監視制御を開始し、先ず、装置状態の確認及び試験を行う。この試験の正常終了により、監視装置ＳＶから増設伝送装置Ｃに対して構成データをダウンロードし、ユーザパスの疎通確認及び試験を行う。この試験の正常終了により、運用状態に移行する。この場合、監視装置ＳＶでは、装置アドレスについて、００１−００２−００３の接続構成を確認することができる。
【０００４】
又複数の監視装置を設けて、複数の伝送装置を監視する大規模のネットワークシステムも知られており、伝送装置間の伝送路上に制御領域（帯域）を割当て、この制御領域（帯域）を介して各監視装置間で伝送装置の監視情報を転送し、伝送装置の増設、撤去によるシステム構成情報についても転送する伝送システムが知られている（例えば、特許文献１参照）。
【０００５】
又伝送装置間の伝送の正常性を試験する為に、一方の伝送装置から送出したデータを他方の伝送装置に於いて折り返し返送する為に、データの折り返し手段を設けたシステムが知られており、例えば、上り帯域と下り帯域とが異なる非対称伝送システムに於いて、伝送装置間の状態について、大きい方の伝送帯域のデータを総て折り返して小さい方の伝送帯域で返送できないので、小さい方の伝送帯域分のデータのみを折り返して試験する方法が知られている（例えば、特許文献２参照）。
【特許文献１】特開平８−１３９８０７号公報
【特許文献１】特開平１０−３０８７１２号公報
【発明の開示】
【発明が解決しようとする課題】
【０００６】
監視装置は、各伝送装置の装置アドレスや実装構成等の情報を設定して、各伝送装置の監視を行うものであり、従って、システム構築時や伝送装置の増設時等に於ける設定誤りがあると、伝送装置は物理的には接続されているが、監視装置からは監視不能の状態となる。従って、遠隔制御によって問題個所を突き止めることが不可能に近いものとなり、現地に作業員を派遣して探索する必要があった。その為に、比較的単純な誤設定個所の探索に要する時間と手間とが多くなり、初期立ち上げ時や増設伝送装置のシステム組み込みに長時間を要する問題があった。
【０００７】
又装置アドレスが正常に設定されて、監視装置からの監視が可能の状態となった後、システム運用の為の構成データをダウンロードすることになるが、監視装置側で定義した構成内容と、実際の伝送装置の構成内容とが不一致の場合、増設した伝送装置に於けるユーザ回線が疎通しないことになり、この原因探索の為にも多くの時間と労力とを要する問題があった。又このような問題点の提起とその解決手段については、前述の従来例に於いても開示されていない。
【０００８】
本発明は、前述の問題点を解決するもので、監視装置側でシステム構築時や伝送装置の増設時に、伝送装置の装置アドレス等の情報を監視装置で容易に収集し、迅速にシステム監視構成を構築することを目的とする。
【課題を解決するための手段】
【０００９】
本発明のネットワークシステムは、複数の伝送装置を伝送路により接続し、監視装置により監視するネットワークシステムに於いて、前記伝送装置は、未運用中の伝送路の伝送帯域の中の要因認識帯域に装置アドレスを含む特定データを送出する手段と、未運用中の伝送路に対して前記要因認識帯域による特定データを折り返し送出するか否かを制御する折り返し手段と、受信した特定データの抽出判定手段と、前記監視装置からの指示又は自律的に前記折り返し手段による前記特定データの折り返し送出及び停止を制御し、前記特定データの抽出判定手段により自伝送装置が送出した特定データを折り返し受信したと判定した時に、前記伝送路を介して対向伝送装置と接続されたと判定して、前記監視装置に前記特定データによる要因に対応した情報の送出手段とを備えている。
【００１０】
又前記ネットワークシステムを構成する伝送装置の前記特定データの折り返し手段は、未運用中の伝送路を介して受信した多重化データを多重化部により多重分離した前記要因認識帯域の前記特定データを折り返して多重化して前記伝送路に送出する構成と、前記要因認識帯域の前記特定データの中の指定したビットの論理反転を行う論理反転部とを有するものである。
【００１１】
又前記ネットワークシステムを構成する伝送装置は、前記抽出判定手段により前記伝送路を介して対向伝送装置と接続されたと判定して、前記情報の送出手段により前記監視装置に情報を送出した後、他の伝送装置を接続する為の未運用中の伝送路に対して前記要因認識帯域による特定データの折り返し経路を前記折り返し手段により形成する制御手段を有するものである。
【００１２】
又本発明のネットワーク監視方法は、複数の伝送装置を伝送路により接続し、監視装置により監視するネットワーク監視方法に於いて、前記伝送装置に接続した未運用中の伝送路の伝送帯域の中の要因認識帯域により装置アドレスを含む特定データを送出する過程と、該特定データが対向伝送装置により折り返されて受信したと前記装置アドレスも基に判定し、前記対向伝送装置との間が伝送路により接続されたと認識して、前記監視装置に前記特定データによる要因に対応した情報を送出する過程と、該情報を受信した前記監視装置に於いて、前記伝送装置の伝送路を介した接続構成を認識してネットワークの監視を開始する過程とを含むものである。
【００１３】
又ネットワークシステムを構成する前記監視装置は、伝送路を介して増設伝送装置を接続した伝送装置に対して、未運用中の前記増設伝送装置側の伝送路の前記要因認識帯域の折り返しを指示し、前記増設伝送装置は、自伝送装置の装置アドレスが付加された前記要因認識帯域の特定データの折り返しを受信し、前記装置アドレスにより折り返し受信と判定した時に、該特定データによる要因に対応した情報を前記監視装置に送出し、該情報を受信した監視装置は、前記折り返し解除を指示する過程を含むものである。
【００１４】
又前記監視装置から指示できる伝送装置に伝送路を介して複数の増設伝送装置を接続し、前記伝送装置及び前記複数の増設伝送装置は、未運用中の伝送路の要因認識帯域により前記特定データを送出し、前記監視装置が前記伝送装置に、未運用中の伝送路の前記要因認識帯域の折り返しを指示し、該要因認識帯域の折り返しにより自伝送装置から送出した前記特定データに付加した装置アドレスと自伝送装置の装置アドレスとの一致により折り返し受信を識別した時に、該特定データによる要因対応の情報を前記監視装置に送出して、該特定データを折り返し受信した伝送路を運用中に遷移させ、且つ他の未運用中の伝送路の前記要因認識帯域の折り返しを行う過程を含むものである。
【００１５】
又前記監視装置から指示できる伝送装置に伝送路を介して複数の増設伝送装置を接続し、前記伝送装置及び前記複数の増設伝送装置は、未運用中の伝送路の要因認識帯域により装置アドレスを付加した前記特定データを送出し、前記監視装置が前記伝送装置に、未運用中の伝送路の前記要因認識帯域の折り返しを指示し、該要因認識帯域の折り返しにより前記伝送装置の後段の前記増設伝送装置は、自伝送装置から送出した前記特定データを受信して、該特定データに付加した装置アドレスと自伝送装置の装置アドレスとの一致により折り返し受信を識別した時に、該特定データによる要因対応の情報を前記監視装置に送出して、他の未運用中の伝送路に対して前記要因認識帯域の折り返し経路を形成する処理を前記増設伝送装置に於いて実行し、前記監視装置に於いて前記増設伝送装置からの前記特定データによる要因対応の情報を総て受信した後、前記伝送装置に折り返し解除を通知し、前記増設伝送装置は前段の伝送装置からの前記特定データを受信して付加された装置アドレスと自伝送装置の装置アドレスとの不一致により、前記要因認識帯域の折り返しを解除する処理を前記増設伝送装置に於いて実行する過程を含むものである。
【００１６】
又前記特定データによる要因は、装置アドレス通知、装置状態通知、装置構成通知、自己診断実施及び結果通知を含み、選択的に１個又は複数同時に前記要因認識帯域により未運用中の伝送路に送出する過程を含むものである。
【００１７】
又前記監視装置は、増設伝送装置からの情報と定義内容とを比較し、比較不一致の場合に、前記増設伝送装置の内部の設定誤りとして警報を送出する過程を含むものである。
【発明の効果】
【００１８】
監視装置は、予めシステムの定義を設定しなくても、増設した伝送装置のアドレスを含む各種の情報を順次収集することができるから、システムの立ち上げを迅速に行うことができる。又予めシステムの定義を設定した場合は、収集した各種の情報と定義内容とを比較し、不一致の項目を設定誤りとして警報を送出し、速やかに修正設定を行うことができる。又複数の増設伝送装置について、各増設伝送装置の自律的な処理により、順次要因対応の情報を送出することができるから、監視装置は、１台の伝送装置に対する折り返し経路の形成及び解除を制御するだけで、全増設伝送装置の情報を収集することができる。
【発明を実施するための最良の形態】
【００１９】
本発明のネットワークシステムは、図１を参照して説明すると、複数の伝送装置Ａ，Ｂ，Ｃを、それぞれ伝送路ＩＦ部２を介して伝送路により接続し、監視装置ＳＶにより監視するネットワークシステムであって、伝送装置Ａ，Ｂ，Ｃは、未運用中の伝送路の伝送帯域の中の要因認識帯域に装置アドレスを含む特定データを送出する手段と、未運用中の伝送路に対して要因認識帯域による特定データを折り返し送出するか否かを制御する折り返し手段と、受信した特定データの抽出判定手段と、監視装置ＳＶからの指示又は自律的に、折り返し手段による特定データの折り返し送出及び停止を制御し、特定データの抽出判定手段により自伝送装置が送出した特定データを折り返し受信したと判定した時に、伝送路を介して対向伝送装置と接続されたと判定して、監視装置ＳＶに特定データによる要因に対応した情報の送出手段とを含む制御部１を備えている。
【００２０】
本発明のネットワーク監視方法は、複数の伝送装置Ａ，Ｂ，Ｃを伝送路により接続し、監視装置ＳＶにより監視するネットワーク監視方法であって、伝送装置Ａ，Ｂ，Ｃに接続した未運用中の伝送路の伝送帯域の中の要因認識帯域により装置アドレスを含む特定データを送出する過程と、この特定データが対向伝送装置により折り返されて受信したと前記装置アドレスも基に判定し、前記対向伝送装置との間が伝送路により接続されたと認識して、監視装置ＳＶに，特定データによる要因に対応した情報を送出する過程と、この情報を受信した監視装置ＳＶは、伝送装置Ａ，Ｂ，Ｃの伝送路を介した接続構成を認識してネットワークの監視を開始する過程とを含むものである。
【実施例１】
【００２１】
図１は、本発明の実施例１の説明図であり、伝送装置Ａ，Ｂ，Ｃと監視装置ＳＶとを含むネットワークシステムを示し、それぞれ伝送路を介して接続された伝送装置Ａ〜Ｃは、制御部１と伝送路ＩＦ（インタフェース）部２と監視装置ＩＦ（インタフェース）部３とを含む構成を有する。尚、各伝送装置Ａ〜Ｃには、端末装置等を接続する為のインタフェース部及び他の伝送路を接続する場合の伝送路ＩＦ部を有するものであるが、図示は省略している。
【００２２】
伝送装置Ａ〜Ｃは、通常のデータ伝送制御手段と共に、伝送路ＩＦ部２を介して対向伝送装置に特定のデータを、伝送路の伝送帯域の中の要因認識帯域により送出する手段と、対向伝送装置からの要因認識帯域による特定のデータの折り返し手段と、特定データの抽出判定手段と、監視装置ＳＶに対して監視装置ＩＦ部３を介して装置アドレス等の情報を送出する手段等を含む構成を有し、折り返し手段は、監視装置からの指示又は自律的に折り返し経路の形成及び解除を行う構成とすることができる。又監視装置ＳＶと各伝送装置Ａ，Ｂ，Ｃとの間は、監視装置ＩＦ部３を介して接続される場合を示し、監視制御線を介して接続するか、又は広帯域の伝送路の帯域の一部を利用した装置間通信パスによりデータの送受信を行うことができる。又伝送装置Ａ，Ｂ，Ｃのアドレスを００１，００２．００３として説明する。
【００２３】
伝送装置Ａと監視装置ＳＶとの間を接続し、伝送装置Ａのアドレス設定や構成データ設定等を行って運用状態した後、この伝送装置Ａに伝送路を接続した時、制御部１は、伝送路ＩＦ部２介して、未運用中の伝送路の要因認識帯域を用いて特定のデータ、例えば、自伝送装置Ａのアドレス（００１）等を含む特定データを送出する。又伝送装置Ｂを増設の為に伝送路を介して伝送装置Ａに接続した時も、伝送装置Ｂは、未運用中の伝送路の要因認識帯域を用いて、アドレス（００２）等を含む特定データを伝送路に送出する。同様に、伝送装置Ｃを増設して伝送路を介して伝送装置Ｂに接続した時も、アドレス（００３）等を含む特定データを、未運用中の伝送路の要因認識帯域を用いて送出する。又伝送装置Ｂを伝送路に接続した時に、監視装置ＳＶから伝送装置Ａに対して伝送装置Ｂ側の伝送路の要因認識帯域の折り返しを指示する。又伝送装置Ｃを，伝送路を介して伝送装置Ｂに接続した時は、監視装置ＳＶから伝送装置Ｂに対して伝送装置Ｃ側の伝送路の要因認識帯域の折り返しを指示する。
【００２４】
伝送装置Ａに伝送路を介して伝送装置Ｂを接続した時、前述のように、監視装置ＳＶからの指示により伝送装置Ａは、伝送装置Ｂ側の未運用中の伝送路の伝送帯域の中の要因認識帯域の折り返しを行い、又伝送装置Ｂは、自伝送装置の装置アドレスを送信元アドレスとした特定データを伝送路に送出し、伝送装置Ａにより折り返された特定データの中の送信元アドレスが、自伝送装置の装置アドレスと一致するか比較し、比較一致により、対向伝送装置との間が接続されたと認識して、伝送装置Ｂは、監視装置ＩＦ部３と監視装置ＳＶとの間の装置間通信パスを介して、自伝送装置のアドレス（００２）を含む特定データの要因対応の情報を送信する。
【００２５】
従って、監視装置ＳＶは、アドレス（００２）の伝送装置Ｂが伝送路に接続されたことを認識することができるから、伝送装置Ａに対して伝送路の要因認識帯域の折り返し解除を通知する。それにより、伝送装置Ａ，Ｂ間は伝送路を介してデータ伝送ができる接続状態となり、又監視装置ＳＶは、伝送装置Ｂの構成データ等をダウンロードし、伝送装置Ａ，Ｂによるネットワークシステムを構築することができる。同様に、伝送装置Ｃを増設する為に、伝送路を介して伝送装置Ｂに接続した場合も、伝送装置Ｃは、未運用中の伝送路の要因認識帯域に送信元アドレスを含む特定データを送出し、伝送装置Ｂによる要因認識帯域の折り返しにより、折り返された送信元アドレスが、自伝送装置のアドレスと一致する場合、対向伝送装置Ｂに伝送路を介して接続されたと認識し、監視装置ＳＶに、装置間通信パスを介して、伝送装置Ｃのアドレス（００３）を含む特定データの要因対応の情報を送信するから、監視装置ＳＶは、アドレス（００２）の伝送装置Ｂに、アドレス（００３）の伝送装置Ｃが接続されたネットワークシステムが構成されたことを認識して、監視制御を行うことができる。
【００２６】
図２は、伝送装置の主要機能部を示すもので、図１に於けるアドレス（００１），（００２）の伝送装置Ａ，Ｂについて示す。伝送装置Ａ，Ｂは同一構成を有する場合を示し、１１は監視制御部、１２は伝送路ＩＦ（インタフェース）部、１３は監視装置ＩＦ（インタフェース）部、１４は端末ＩＦ（インタフェース）部、１５はデータベース、１６は多重化部、１７はデータ送信部、１８はデータ挿入部、１９はデータ受信部、２０はデータ抽出部、２１は論理反転部を示す。
【００２７】
インタフェース機能部分以外の機能部分が、図１に於ける制御部１の機能部分に相当するものであり、又多重化部１６による多重化データの送受信機能部分は図示を省略している。又図１に於ける監視装置ＳＶとの間は、監視装置ＩＦ部１３を介して接続されるものであるが、監視制御線を介して接続するか、又は伝送路の伝送帯域の一部を用いて監視情報等の伝送を行う構成とすることができる。伝送路の伝送帯域の一部としては、伝送フレームのオーバヘッドの一部やペイロードの一部の帯域を用いることができるもので、その場合は、監視装置ＩＦ部１３と多重化部１６との間に挿入部を設けることができる。又多重化部１６と伝送路ＩＦ部１２とは、伝送装置Ａ，Ｂ間の伝送路対応に設けた場合を示すが、図示を省略した他の伝送装置を接続する為の伝送路対応に設けるものである。
【００２８】
又監視制御部１１は、監視装置ＩＦ部１３を介して、監視装置との間で制御情報の送受信を行い、多重化部１６に対して、要因認識帯域の折り返し経路（点線経路）と、論理反転部２１による特定データの全ビット又はその中の一部のビットを反転するか否かを制御する折り返し手段を構成し、又データ送信部１７を制御して、装置アドレスを含む特定データを送出する手段を構成し、又データ抽出部２０により抽出し、データ受信部１９により受信した特定データの判定処理等を行う抽出判定手段を構成し、又端末ＩＦ部１４を介して図示を省略した端末との間のユーザデータや制御情報の送受信等を行う手段を構成し、又監視装置ＩＦ部１３を介して監視装置に情報を送出する手段を構成している。又データベース１５は、構成データや装置状態情報等を格納するものである。
【００２９】
又データ挿入部１８は、データ送信部１７からの特定データを、多重化部１６により多重化して伝送する帯域の中の一部の要因認識帯域に挿入するように処理し、又データ抽出部２０は、要因認識帯域により伝送されたデータを抽出して、データ受信部１９に転送する処理を行う。多重化部１６は、多重化及び多重分離処理を行うものであり、要因認識帯域についても多重化及び多重分離が可能の構成を有すると共に、多重分離した要因認識帯域のデータを折り返して、多重化する構成を有するもので、この折り返し機能は、折り返し試験等を行う機能を適用することができる。
【００３０】
図３は、伝送フレームの説明図であり、例えば、伝送装置間の伝送路により伝送するＳＤＨ（Ｓｙｎｃｈｒｏｎｏｕｓ  Ｄｉｇｉｔａｌ  Ｈｉｅｒａｒｃｈｙ）フレームの場合を示し、オーバヘットのＤバイトを装置間通信帯域又はペイロードの一部を装置間通信帯域とし、監視装置に対して装置アドレス情報等を転送する場合の装置間通信パスとすることができる。この場合の装置間通信フレームは、送信元アドレスと、送信先アドレスと、情報フィールドとすることができ、送信先アドレスは、例えば、監視装置のアドレスとし、送信元アドレスは、伝送装置のアドレスとし、情報フィールドは、特定データの要因対応の情報を挿入する。
【００３１】
又ペイロードの一部を要因認識帯域とした場合を示し、この要因認識帯域は、予め定めた位置とし、オーバヘッドによる同期により、その位置を識別することができる。尚、図示のように、ペイロードの最後の位置に限定されるものではない。又伝送路の未運用時に使用するものであって、運用時は総てユーザ帯域とするものである。又要因認識帯域のＡ１，Ｂ１，Ｃ１，Ｄ１，・・・Ｎ１は送信元アドレス、Ａ２，Ｂ２，Ｃ２，Ｄ２，・・・Ｎ２は要因認識処理用及び単発発信か継続発信かを指定することができる情報で、Ａ２はアドレス通知情報、Ｂ２は状態通知情報、Ｃ２は構成通知情報、Ｄ２は自己診断実施及び結果通知情報を要求する要因とすることができる。又各要因は、要因認識帯域の中の位置で判断するか、又は他の要因指示コードを付加することも可能である。又前述の要因以外の要因を設けることも可能である。又これらの要因は、それぞれ個別に伝送するか、又は複数の要因を同時に伝送して、例えば、折り返し選択処理を行う構成とすることもできる。又送信元アドレスを含めてそれぞれ２バイト構成とした場合を示すが、これに限定されるものではない。
【００３２】
図４は、未運用中の伝送路の要因認識帯域を用いて行う特定データ送受信処理のフローチャートを示し、伝送装置は、未使用（未運用）の伝送路の要因認識帯域により、自伝送装置の装置アドレスを送信元アドレスとして送信する（ａ１）。即ち、監視制御部１１（図１参照）は、データ送信部１７を制御して、自伝送装置の装置アドレス等を含む特定データを生成し、データ挿入部１８により、多重化部１６の多重化帯域内の要因認識帯域に挿入するように制御する。
【００３３】
又未使用（未運用）の伝送路の要因認識帯域により受信した特定データを抽出して解析する（ａ２）。即ち、多重化部１６（図２参照）により多重分離された要因認識帯域から、データ抽出部２０により特定データを抽出し、データ受信部１９に転送し、このデータ受信部１９又は監視制御部１１に於いて特定データの解析を行う。そして、受信した特定データに含まれる送信元アドレスが、自伝送装置から送出した自伝送装置の装置アドレスと一致するか否かを判定する（ａ３）。
【００３４】
比較一致しない場合は、対向伝送装置に於いて折り返し経路が形成されていない場合に相当し、ステップ（ａ２）に移行する。又比較一致した場合は、対向伝送装置に於いて折り返し経路が形成されている場合であり、ステップ（ａ４）に移行して、情報発信処理フローを実行する。この情報は、例えば、図３の要因認識帯域により送受信する特定データに対応した情報であり、特定データの要因としては、Ａ１，Ａ２によるアドレス通知、Ｂ１，Ｂ２による状態通知、Ｃ１，Ｃ２による構成通知、Ｄ１，Ｄ２による自己診断実施及び結果通知、・・・とすることができる。そして、未使用（未運用）の伝送路の要因認識帯域を抽出して、特定データの解析を行い（ａ５）、一定時間、自伝送装置の装置アドレスと比較して、不一致か否かを判定し（ａ６）、不一致の場合は、ステップ（ａ２）に移行する。
【００３５】
図５は、図４に於けるステップ（ａ４）の情報発信処理のフローチャートを示し、受信データがＡＡ（“１０１０１０１０”）の場合、単発発信（ｂ１）と判定し、又受信データがＡ５（“１０１００１０１”）の場合、継続発信（ｂ２）と判定し、単発発信の場合は、１回送信して終了（Ｅ）とする。又継続発信の場合は、送信した後の受信データが５５（“０１０１０１０１”）であるか否かを判定し（ｂ３）、５５（ｈｅｘ）の場合は、次の送信は終了（Ｅ）とする。又５５（ｈｅｘ）でない場合は、例えば、約１分待機して（ｂ４）、ステップ（ｂ２）へ移行し、継続して送信処理を実行する。
【００３６】
図６は、図２に於ける多重化部１６による折り返しの実施、解除の処理のフローチャートを示し、多重化部１６に点線で示す折り返し経路を形成するか否か（実施／解除）を判定する（ｃ１）。この制御は、監視装置の指示に従って監視制御部１１から多重化部１６を制御して、折り返し実施か解除かを制御するか、又は監視制御部１１による自律的な制御により、折り返し実施か解除かを制御することができる。折り返し実施の場合、指定された伝送路の要因認識帯域について折り返し経路を形成する（例えば、図２の多重化部１６の点線経路）（ｃ２）。又折り返し解除の場合、指定された伝送路の要因認識帯域についての折り返し経路を解除する（ｃ３）。
【００３７】
図７は、単発発信のシーケンス説明図であり、監視装置と伝送装置Ｂと伝送装置Ｃとについて示し、装置アドレス（００２）の伝送装置Ｂに対して伝送路を介して、装置アドレス（００３）の伝送装置Ｃを接続した場合であって、伝送装置Ｂは、伝送装置Ｃ側の伝送路は未使用（未運用）中であるから、その伝送路の要因認識帯域に、例えば、特定データとして、Ａ１＝００２，Ａ２＝ＡＡを送出し、伝送装置Ｃも未使用（未運用）中のその伝送路の要因認識帯域に、特定データとして、例えば、Ａ１＝００３，Ａ２＝ＡＡを送出する。
【００３８】
監視装置は、伝送装置Ｃを伝送装置Ｂに対して接続したことの情報のみで、伝送装置Ｂに対して、伝送装置Ｃ側の伝送路の要因認識帯域の折り返し指示を、例えば、装置間通信パスを介して送出する。伝送装置Ｂは、この指示に従って伝送装置Ｃ側の伝送路の要因認識帯域の折り返し経路を形成する。それにより、伝送装置Ｃは、自伝送装置から送信した特定データを受信することになり、送信元アドレスＡ１＝００３が自伝送装置Ｃの装置アドレスＡ１＝００３と一致するから、装置間通信パス（図３に於けるオーバヘッドのＤバイト又はペイロードの中の所定の帯域）の使用開始、Ａ２＝ＡＡにより単発発信を認識し、Ａ１，Ａ２による要因対応の装置アドレス（００３）を、装置間通信パスにより送信する。
【００３９】
従って、監視装置は、装置間通信パスを介して、伝送装置Ｃの装置アドレス＝００３を受信し、装置アドレス（００２）の伝送装置Ｂに、装置アドレス（００３）の伝送装置Ｃが接続されたことを認識し、ネットワーク監視に反映することができる。そして、伝送装置Ｂに対して折り返し解除を通知する。又伝送装置Ｃに対して装置間通信パスを介して特定データの送出停止等の各種の制御情報を伝送することになる。
【００４０】
図８及び図９は、継続発信のシーケンス説明図であり、前述の図７に示す場合と同様に、伝送装置Ｂは、未使用（未運用）中の伝送路の要因認識帯域に、特定データとして、Ａ１＝００２、Ａ２＝ＡＡを送出し、伝送路に接続した伝送装置Ｃは、未使用（未運用）中の伝送路の要因認識帯域に、特定データとして、Ａ１＝００３、Ａ２＝ＡＡを送出する。監視装置は、伝送装置Ｃを伝送装置Ｂに伝送路を介して接続した情報に従って、伝送装置Ｂに、伝送装置Ｃ側の伝送路の要因認識帯域の折り返し指示を送出する。この場合、Ａ２＝ＡＡの下４ビットを反転して折り返すことを指示する。この反転折り返しは、図２の論理反転部２１を、監視制御部１１から制御することにより、指示されたビット（Ａ２の下４ビット）を反転することができる。
【００４１】
従って、伝送装置Ｃは、Ａ１＝００３、Ａ２＝Ａ５の折り返しデータを受信することになり、伝送装置Ｃは、アドレス一致により、対向伝送装置との間が接続されたことを認識し、装置間パスの使用開始、Ａ２＝Ａ５により継続発信と判定し、Ａ１，Ａ２の特定データによる要因対応の装置アドレス（００３）を、装置間パスにより送信する。これを監視装置が受信して、装置アドレス（００３）の伝送装置Ｃが伝送装置Ｂに接続されたことを認識することができる。又伝送装置Ｃは、継続発信が指示されたことにより、図５に示す情報発信処理のフローチャートに従って、例えば、１分後に継続発信を行う。
【００４２】
又所定回数の要因対応の情報受信により、監視装置は、伝送装置Ｂに対して、Ａ２＝ＡＡの全ビットを反転して折り返すことを指示する（図９参照）。それにより、伝送装置Ｃから送出したＡ１＝００３、Ａ２＝ＡＡは、Ａ１＝００３、Ａ２＝５５（ｈｅｘ）として折り返されることになる。伝送装置Ｃは、図５のステップ（ｂ３）に於いてＡ２＝５５（ｈｅｘ）を受信して判定することにより、継続発信を停止し、装置アドレス情報の送信を停止する。又監視装置は、伝送装置Ｂに対して、Ａ１，Ａ２の折り返し解除を発行する。監視装置は、継続発信による伝送装置Ｃからの要因対応の複数回の情報を、例えば、比較照合して確認することができる。そして、確認後、伝送装置Ｃをネットワーク監視に反映することができる。
【００４３】
図１０は、状態情報送信のシーケンス説明図であり、要因認識帯域のＢ１，Ｂ２を用いる場合を示し、未運用中の伝送路の要因認識帯域に、伝送装置Ｂは、Ｂ１＝００２、Ｂ２＝ＡＡを送信し、伝送装置Ｃは、Ｂ１＝００３、Ｂ２＝ＡＡを送信し、監視装置は、伝送装置Ｂに対してＢ１，Ｂ２の折り返しを指示する。それにより、伝送装置Ｃからの要因認識帯域による特定データは伝送装置Ｂに於いて折り返される。従って、伝送装置Ｃは、Ｂ１＝００３によるアドレス一致を判定し、Ｂ２＝ＡＡにより単発発信と判定し、Ｂ帯域要因対応の運用状態等の装置状態情報を装置間通信パスにより送出する。
【００４４】
この装置状態情報を監視装置で受信し、伝送装置Ｃの装置状態をネットワーク監視に反映することができる。そして、伝送装置Ｂに対してＢ１，Ｂ２の折り返し解除を指示する。その後の処理は、前述のシーケンスと同様にして、要因認識帯域による処理を終了することができる。この場合、監視装置は、増設した伝送装置の状態を確認し、正常状態であれば、次のネットワーク構築作業に移行可能であり、又異常状態であれば、復旧対策及び復旧指示を迅速に行うことができる。又要因認識帯域のＡ１，Ａ２，Ｂ１，Ｂ２等を含めて送信して、監視装置からの指示により、Ｂ１，Ｂ２のみを折り返すこともできる。
【００４５】
図１１は、装置構成情報送信のシーケンス説明図であり、要因認識帯域のＣ１，Ｃ２を用いた場合を示し、未運用中の伝送路の要因認識帯域に、伝送装置Ｂは、Ｃ１＝００２、Ｃ２＝ＡＡを送信し、伝送装置Ｃは、Ｃ１＝００３、Ｃ２＝ＡＡを送信する。そして、監視装置は、伝送装置Ｂに対してＣ１，Ｃ２の折り返しを指示する。それにより、伝送装置Ｃからの要因認識帯域による特定データは伝送装置Ｂに於いて折り返される。従って、伝送装置Ｃは、Ｃ１＝００３によるアドレス一致を判定し、Ｃ２＝ＡＡにより単発発信と判定し、Ｂ帯域要因として、実装構成等の装置構成情報を装置間通信パスにより送出する。
【００４６】
この装置構成情報を監視装置で受信し、伝送装置Ｃの装置構成をネットワーク監視に反映することができる。そして、伝送装置Ｂに対してＣ１，Ｃ２の折り返し解除を指示する。その後の処理は、前述のシーケンスと同様にして、要因認識帯域による処理を終了することができる。従って、監視装置は、増設した伝送装置の構成内容を把握することができ、正常構成であれば、次の作業に速やかに移行することができ、又誤った構成であれば、交換指示を送出することができる。この場合も、例えば、要因認識帯域のＡ１，Ａ２，Ｂ１，Ｂ２，Ｃ１，Ｃ２等を含めて送信し、監視装置からの指示により、Ｃ１，Ｃ２のみの折り返し制御を行うこともできる。
【００４７】
図１２は、自己診断のシーケンス説明図であり、要因認識帯域のＤ１，Ｄ２を用いた場合を示し、未運用中の伝送路の要因認識帯域に、伝送装置Ｂは、Ｄ１＝００２、Ｄ２＝ＡＡを送信し、伝送装置Ｃは、Ｄ１＝００３、Ｄ２＝ＡＡを送信する。そして、監視装置は、伝送装置Ｂに対してＤ１，Ｄ２の折り返しを指示する。それにより、伝送装置Ｃからの要因認識帯域による特定データは，伝送装置Ｂに於いて折り返され、伝送装置Ｃは、Ｄ１＝００３によるアドレス一致を判定し、Ｄ２＝ＡＡにより単発発信と判定し、Ｄ帯域要因として、自己診断実施とその結果通知と判定し、自己診断を実行する。その自己診断結果を、装置間通信パスにより送出する。
【００４８】
この自己診断結果の情報を監視装置は受信して、伝送装置Ｃの正常性を確認することができ、ネットワーク監視に反映することができる。そして、伝送装置Ｂに対してＤ１，Ｄ２の折り返し解除を指示する。その後の処理は、前述のシーケンスと同様にして、要因認識帯域による処理を終了することができる。従って、監視装置は、自己診断結果が正常であれば、次の運用データのダウンロードを実施して、仮運用作業に速やかに移行することができ、又異常の場合は、異常個所の交換等の指示を送出することができる。
【００４９】
図１３及び図１４は、複数の伝送装置の初期設定のシーケンス説明図であり、監視装置と、伝送装置Ａ，Ｂ，Ｃとについて示す。伝送装置Ａは、未運用中の伝送装置Ｂ側の伝送路に、Ａ１＝００１、Ａ２＝ＡＡを送出し、伝送装置Ｂは、未運用中の伝送装置Ａ，Ｃ側の伝送路に、Ａ１＝００２、Ａ２＝ＡＡをそれぞれ送出し、伝送装置Ｃは、未運用中の伝送装置Ｂ側の伝送路に、Ａ１＝００３、Ａ２＝ＡＡを送出する。
【００５０】
監視装置は、伝送装置Ａに対して要因認識帯域のＡ１，Ａ２の折り返し指示と単発発信の指示とを行う。それにより、伝送装置Ｂが送出した特定データのＡ１＝００２、Ａ２＝ＡＡが、伝送装置Ａの多重化部１６（図２参照）の折り返し経路により折り返される。伝送装置Ｂは、アドレス一致により、要因判定を行い、装置間通信パス使用開始、Ａ２＝ＡＡにより単発発信であることを認識し、要因対応の情報として装置アドレス＝００２の情報を装置間通信パスにより送出する。従って、監視装置は、装置アドレス＝００２の伝送装置Ｂが、装置アドレス＝００１の伝送装置Ａに伝送路を介して接続されたことを認識することができる。
【００５１】
次に伝送装置Ｂは、自伝送装置から送出して折り返し受信できていない未運用中の伝送路に対して、Ａ１，Ａ２の折り返し経路を形成する。このような処理は、監視制御部１１（図２参照）の機能により実行できるように構成する。従って、伝送装置Ｃが送出した特定データのＡ１＝００３、Ａ２＝ＡＡが、伝送装置Ｂによって折り返される。それにより、伝送装置Ｃは、アドレス一致により、要因判定を行い、装置間通信パス使用開始、Ａ２＝ＡＡにより単発発信であることを認識し、要因対応の情報として装置アドレス＝００３の情報を装置間通信パスにより送出する。従って、監視装置は、装置アドレス＝００３の伝送装置Ｃが、装置アドレス＝００２の伝送装置Ｂに伝送路を介して接続されたことを認識することができる。
【００５２】
監視装置は、増設伝送装置から要因対応の情報を総て受信したと判定すると、伝送装置Ａに対して折り返し解除を通知する（図１４参照）。それにより、伝送装置Ａに於ける伝送装置Ｂに対する折り返し経路を解除する。従って、伝送装置Ｂに於いては、伝送装置Ａからの特定データのＡ１＝００１、Ａ２＝ＡＡを受信することになり、アドレス一致の状態からアドレス不一致の状態に変化するから、折り返し解除と判定し、伝送装置Ｃに対する折り返しを解除する。伝送装置Ｃも伝送装置Ｂからの特定データのＡ１＝００２、Ａ２＝ＡＡを受信することになり、アドレス一致の状態からアドレス不一致の状態に変化するから、特定データの送出による初期設定は終了として、特定データの送出は終了する。又伝送装置Ａ，Ｂも、折り返し解除後、所定時間経過すると、特定データの送出を終了する。このように、複数の伝送装置を接続した場合に、連鎖的な自律制御動作によって、監視装置は、複数の伝送装置のアドレス情報等を順次収集することができる。
【００５３】
図１５及び図１６は、状態情報送信のシーケンス説明図であり、図１３及び図１４と同様に、監視装置と、伝送装置Ａ，Ｂ，Ｃとについて示し、伝送装置Ａは、未運用中の伝送装置Ｂ側の伝送路に、Ｂ１＝００１、Ｂ２＝ＡＡを送出し、伝送装置Ｂは、未運用中の伝送装置Ａ，Ｃ側の伝送路に、Ｂ１＝００２、Ｂ２＝ＡＡを送出し、伝送装置Ｃは、未運用中の伝送装置Ｂ側の伝送路に、Ｂ１＝００３、Ｂ２＝ＡＡを送出する。
【００５４】
監視装置は、伝送装置Ａに対して要因認識帯域のＢ１，Ｂ２の折り返し指示と単発発信の指示とを行う。それにより、伝送装置Ｂが送出した特定データのＢ１＝００２、Ｂ２＝ＡＡが、伝送装置Ａの多重化部１６（図２参照）の折り返し経路により折り返される。伝送装置Ｂは、アドレス一致により、要因判定を行い、装置間通信パス使用開始、Ｂ２＝ＡＡにより単発発信であることを認識し、要因対応の運用状態等の装置状態情報を、装置間通信パスにより送出する。従って、監視装置は、伝送装置Ｂの装置状態を認識して、ネットワーク監視に反映することができる。
【００５５】
伝送装置Ｂは、装置状態情報を送信後、伝送装置Ｃ方向の伝送路の要因認識帯域のＢ１，Ｂ２の折り返し経路を形成する。それにより、伝送装置Ｃは、送出したＢ１＝００３、Ｂ２＝ＡＡを折り返し受信して、アドレス一致により、装置状態情報送信処理の要因検出と、単発発信とを判定し、要因対応の伝送装置Ｃの装置状態情報を装置間通信パスにより送出する。従って、監視装置は、伝送装置Ｃの状態を認識して、ネットワーク監視に反映することができる。
【００５６】
そして、監視装置は、増設伝送装置のＢ，Ｃの装置状態情報を総て受信すると、伝送装置Ａに対して、伝送装置Ｂ方向の折り返し解除を通知する（図１６参照）。それによって、伝送装置Ｂは、伝送装置Ａからの特定データを受信することになり、アドレス一致の状態からアドレス不一致の状態に変化し、伝送装置Ｂは、伝送装置Ｃ方向の折り返しを解除する。それによって、この装置状態情報の収集処理は終了したと判定して、所定時間後に、次の処理に移行することになる。
【００５７】
図１７及び図１８は、装置構成送信のシーケンス説明図であり、図１３〜図１６と同様に、監視装置と、伝送装置Ａ，Ｂ，Ｃとについて示し、伝送装置Ａは、未運用中の伝送装置Ｂ側の伝送路に、Ｃ１＝００１、Ｃ２＝ＡＡを送出し、伝送装置Ｂは、未運用中の伝送装置Ａ，Ｃ側の伝送路に、Ｃ１＝００２、Ｃ２＝ＡＡを送出し、伝送装置Ｃは、未運用中の伝送装置Ｂ側の伝送路に、Ｃ１＝００３、Ｃ２＝ＡＡを送出する。
【００５８】
監視装置は、伝送装置Ａに対して要因認識帯域のＣ１，Ｃ２の折り返し指示と単発発信の指示とを行う。それにより、伝送装置Ｂが送出した特定データのＣ１＝００２、Ｃ２＝ＡＡが、伝送装置Ａにより折り返される。伝送装置Ｂは、アドレス一致により、要因判定を行い、装置間通信パス使用開始、Ｃ２＝ＡＡにより単発発信であることを認識し、要因対応の実装構成等の装置構成情報を、装置間通信パスにより送出して、監視装置に転送する。従って、監視装置は、伝送装置Ｂの装置構成を認識して、ネットワーク監視に反映することができる。
【００５９】
伝送装置Ｂは、装置構成情報を送信後、伝送装置Ｃ方向の伝送路の要因認識帯域のＣ１，Ｃ２の折り返し経路を形成する。それにより、伝送装置Ｃは、送出したＣ１＝００３、Ｃ２＝ＡＡを折り返し受信するから、アドレス一致により、装置構成情報送信処理の要因検出と、単発発信とを判定し、要因対応の伝送装置Ｃの実装構成等の装置構成情報を装置間通信パスにより送出する。従って、監視装置は、伝送装置Ｃの装置構成を認識して、ネットワーク監視に反映することができる。
【００６０】
そして、監視装置は、伝送装置Ｂ，Ｃの装置構成情報の受信完了により、伝送装置Ａに対して、伝送装置Ｂ方向の折り返し解除を通知する（図１８参照）。それによって、伝送装置Ｂは、伝送装置Ａからの特定データのＣ１＝００１、Ｃ２＝ＡＡを受信することになり、アドレス一致の状態からアドレス不一致の状態に変化するから、伝送装置Ｂは、伝送装置Ｃ方向の折り返しを解除する。それによって、この装置構成情報の収集処理は終了したと判定して、所定時間後に、次の処理に移行することになる。
【００６１】
図１９及び図２０は、自己診断結果送信のシーケンス説明図であり、図１３〜図１８と同様に、監視装置と、伝送装置Ａ，Ｂ，Ｃとについて示し、伝送装置Ａは、未運用中の伝送装置Ｂ側の伝送路に、Ｄ１＝００１、Ｄ２＝ＡＡを送出し、伝送装置Ｂは、未運用中の伝送装置Ａ，Ｃ側の伝送路に、Ｄ１＝００２、Ｄ２＝ＡＡを送出し、伝送装置Ｃは、未運用中の伝送装置Ｂ側の伝送路に、Ｄ１＝００３、Ｄ２＝ＡＡを送出する。
【００６２】
監視装置は、伝送装置Ａに対して要因認識帯域のＤ１，Ｄ２の折り返し指示と単発発信の指示とを行う。それにより、伝送装置Ｂが送出した特定データのＤ１＝００２、Ｄ２＝ＡＡが、伝送装置Ａにより折り返される。伝送装置Ｂは、アドレス一致により、要因判定を行い、装置間通信パス使用開始、Ｄ２＝ＡＡにより単発発信であることを認識し、且つ自己診断実施結果の送信であることを認識し、装置内の自己診断を行い、その結果を、要因対応の情報として装置間通信パスにより送出して、監視装置に転送する。従って、監視装置は、伝送装置Ｂが正常か否かを認識することができる。
【００６３】
伝送装置Ｂは、自己診断実施結果の情報を送信後、伝送装置Ｃ方向の伝送路の要因認識帯域のＤ１，Ｄ２の折り返し経路を形成する。それにより、伝送装置Ｃは、送出したＤ１＝００３、Ｄ２＝ＡＡを折り返し受信するから、アドレス一致により、自己診断実施結果の送信処理要因検出と、単発発信とを判定し、伝送装置Ｃの自己診断を実施し、その結果を示す要因対応の情報を装置間通信パスにより送出する。従って、監視装置は、伝送装置Ｃが正常か否かを認識することができる。
【００６４】
そして、監視装置は、伝送装置Ａに対して、伝送装置Ｂ方向の折り返し解除を通知する（図２０参照）。それによって、伝送装置Ｂは、伝送装置Ａからの特定データのＤ１＝００１、Ｄ２＝ＡＡを受信することになり、アドレス一致の状態からアドレス不一致の状態に変化するから、伝送装置Ｂは、伝送装置Ｃ方向の折り返しを解除する。それによって、この自己診断実施結果の情報の収集処理は終了したと判定して、所定時間後に、次の処理に移行することになる。
【００６５】
前述の自律的に折り返し経路の形成により、要因対応の情報を監視装置に於いて収集する場合に、複数種類の特定データを送出し、最初に監視装置から要因対応の折り返しを指示するように制御することも可能である。又前述のように、監視装置でシステムの定義を設定しておかなくても、増設した伝送装置の接続構成や装置構成等を収集して、ネットワークの監視を開始することができる。
【００６６】
図２１は、装置アドレス確認のシーケンス説明図であり、監視装置と、装置アドレス（００１）の伝送装置Ａと、装置アドレス（００２）の伝送装置Ｂと、装置アドレス（００３）の伝送装置Ｃとによりネットワークシステムを構成するものとして、監視装置に定義した場合に、図１３及び図１４に示すように、伝送装置Ａは、未運用中の伝送装置Ｂ側の伝送路に、Ａ１＝００１、Ａ２＝ＡＡを送出し、伝送装置Ｂは、未運用中の伝送装置Ａ，Ｃ側の伝送路に、Ａ１＝００２、Ａ２＝ＡＡを送出し、伝送装置Ｃは、未運用中の伝送装置Ｂ側の伝送路に、Ａ１＝００４（誤設定アドレス）、Ａ２＝ＡＡを送出したとする。
【００６７】
監視装置は、伝送装置Ａに対して要因認識帯域のＡ１，Ａ２の折り返し指示と単発発信の指示とを行う。それにより、伝送装置Ｂは、前述のように、アドレス一致により、要因判定を行い、装置間通信パス使用開始、Ａ２＝ＡＡにより単発発信であることを認識し、要因対応の情報として装置アドレス＝００２を装置間通信パスにより送出する。従って、監視装置は、装置アドレス＝００２の伝送装置Ｂが伝送装置Ａに伝送路を介して接続されたことを認識することができる。
【００６８】
次に伝送装置Ｂは、自伝送装置から送出して折り返し受信できていない伝送路に対して、Ａ１，Ａ２の折り返し経路を形成する。従って、伝送装置Ｃが送出した特定データのＡ１＝００４、Ａ２＝ＡＡが、伝送装置Ｂによって折り返される。それにより、伝送装置Ｃは、アドレス一致により、要因判定を行い、装置間通信パス使用開始、Ａ２＝ＡＡにより単発発信であることを認識し、要因対応の情報として装置アドレス＝００４を装置間通信パスにより送出する。監視装置は、装置アドレス＝００４の伝送装置Ｃが伝送装置Ｂに伝送路を介して接続されたことを認識できるが、アドレス定義内容と比較することにより、不一致であることを検出して、伝送装置Ｃの装置アドレスの設定誤りの警報を送出することができる。そこで、保守要員等により、伝送装置Ｃの装置アドレスを（００３）に修正設定して、監視装置による監視を可能とすることができる。
【図面の簡単な説明】
【００６９】
【図１】本発明の実施例１の説明図である。
【図２】本発明の実施例１の伝送装置の説明図である。
【図３】伝送路フレームの説明図である。
【図４】特定データ送受信処理のフローチャートである。
【図５】情報発信処理のフローチャートである。
【図６】折り返し処理のフローチャートである。
【図７】単発発信のシーケンス説明図である。
【図８】継続発信のシーケンス説明図である。
【図９】継続発信のシーケンス説明図である。
【図１０】状態情報送信のシーケンス説明図である。
【図１１】装置構成情報送信のシーケンス説明図である。
【図１２】自己診断のシーケンス説明図である。
【図１３】初期設定のシーケンス説明図である。
【図１４】初期設定のシーケンス説明図である。
【図１５】状態情報送信のシーケンス説明図である。
【図１６】状態情報送信のシーケンス説明図である。
【図１７】装置構成情報送信のシーケンス説明図である。
【図１８】装置構成情報送信のシーケンス説明図である。
【図１９】自己診断結果送信のシーケンス説明図である。
【図２０】自己診断結果送信のシーケンス説明図である。
【図２１】装置アドレス確認のシーケンス説明図である。
【図２２】従来の伝送装置増設の説明図である。
【符号の説明】
【００７０】
Ａ〜Ｃ  伝送装置
ＳＶ  監視装置
１  制御部
２  伝送路ＩＦ（インタフェース）部
３  監視装置ＩＦ（インタフェース）部
１１  監視制御部
１２  伝送路ＩＦ部
１３  監視装置ＩＦ部
１４  端末ＩＦ部
１５  データベース
１６  多重化部
１７  データ送信部
１８  データ挿入部
１９  データ受信部
２０  データ抽出部
２１  論理反転部
【図１】
2005223777.tif 000003
【図２】
2005223777.tif 000004
【図３】
2005223777.tif 000005
【図４】
2005223777.tif 000006
【図５】
2005223777.tif 000007
【図６】
2005223777.tif 000008
【図７】
2005223777.tif 000009
【図８】
2005223777.tif 000010
【図９】
2005223777.tif 000011
【図１０】
2005223777.tif 000012
【図１１】
2005223777.tif 000013
【図１２】
2005223777.tif 000014
【図１３】
2005223777.tif 000015
【図１４】
2005223777.tif 000016
【図１５】
2005223777.tif 000017
【図１６】
2005223777.tif 000018
【図１７】
2005223777.tif 000019
【図１８】
2005223777.tif 000020
【図１９】
2005223777.tif 000021
【図２０】
2005223777.tif 000022
【図２１】
2005223777.tif 000023
【図２２】
2005223777.tif 000024